(57)【要約】【課題】ペット用ウェアにヒータを備えることにより効果的に犬を温めることができるペット用暖房ウェアを提供する。【解決手段】ウェアの背中部３には、ヒータ１０が配設されており、ペットの背中側の被毛を温める。ウェアには、ヒータ１０に電気的に接続されるバッテリ１１と、電源ＯＮ／ＯＦＦ用のスイッチ１２を備えている。ウェアには、バッテリを収納するバッテリ収納部３１が形成されている。ウェアには、電源ＯＮ／ＯＦＦ用のスイッチ１２に温度調整部が設けられている。【選択図】図１
2019180296.tif 000002
【特許請求の範囲】
【請求項１】
ペットに着脱自在に着用できるウェアであって、ペットの被毛を温めるヒータを備えたことを特徴とするペット用暖房ウェア。
【請求項２】
前記ウェアの背中部には前記ヒータが配設されており、ペットの背中側の被毛を温めることを特徴とする請求項１に記載のペット用暖房ウェア。
【請求項３】
前記ウェアは、前記ヒータに電気的に接続されるバッテリと、電源ＯＮ／ＯＦＦ用のスイッチを備えていることを特徴とする請求項１又は請求項２に記載のペット用暖房ウェア。
【請求項４】
前記ウェアには、前記バッテリを収納するバッテリ収納部が形成されており、前記バッテリの収納及び交換を容易にしたことを特徴とする請求項３に記載のペット用暖房ウェア。
【請求項５】
前記ウェアには、前記電源ＯＮ／ＯＦＦ用のスイッチに温度調整部が設けられており、前記ヒータの温度調整を可能としたことを特徴とする請求項３に記載のペット用暖房ウェア。
【請求項６】
前記ウェアは、首周り部と背中部と胴周り部とから構成され、前記首周り部の両端部と前記胴周り部の両端部には、ペットの首周辺と胴周辺に巻き付けてそれぞれ接合する留め具が設けられていることを特徴とする請求項１乃至請求項５のいずれか１項に記載のペット用暖房ウェア。
【発明の詳細な説明】
【技術分野】
【０００１】
本発明は、ペット用ウェアにヒータを備えることにより効果的に犬を温めることができるペット用暖房ウェアに関するものである。
【背景技術】
【０００２】
近年、ペット用ウェアについては、ファッション性と機能性の観点から多種多様の技術が提案されている。
【０００３】
例えば、特開２００６−１８０７７２号公報（特許文献１）には、体温の上昇を有効に抑制することのできるペット用衣服を提供することを目的とし、ペットに衣服を着脱自在に着けるペット用衣服であって、衣服は、ペットに接触する下地層と、この下地層の表面を覆う表面層と、これら下地層と表面層との間に介在され、液体を吸収して冷却機能を発揮する冷却層とを含んでなることを特徴とする「ペット用衣服」が提案されている。
【０００４】
また、特開２００７−２６７７２３号公報（特許文献２）には、ペット、犬、猫等をシャンプーした後、胴体の体毛を早く乾燥させるペット乾燥服を提供することを目的とし、送風管により送風機からペット乾燥服に温風を送り体毛に温風を吹きつけ体毛を乾燥させる「ペット乾燥服」が提案されている。
【０００５】
また、実用新案登録第３１７２２１０号公報（特許文献３）には、季節を問わず、動物が快適に過ごすことのできる動物用の衣服を提案することを目的とし、動物用の衣服であって、衣服の内面側に収納部が設けられ、収納部に保冷剤または保温剤を収納可能であることを特徴とする「動物用の衣服」が提案されている。
【０００６】
また、特開２００５−２８７３２１号公報（特許文献４）には、夏場の屋外で地面からの放射熱等によって加熱されたペットの腹部を適度に冷却してやることができペットを暑さから守り快適性に優れ、また冬期には保温ができ一年を通して使用することができ、さらにペットの腹部に容易に被着させることができることを目的とし、ペットの腹部に被着される腹当部と、腹当部のペットの腹部側又は地面側に配設された冷暖房具収納部形成部と、腹当部の側部に配設されペットの胴部の周囲で連結される腹当連結部と、を備えていることを特徴とする「ペット用腹巻」が提案されている。
【先行技術文献】
【特許文献】
【０００７】
【特許文献１】特開２００６−１８０７７２号公報
【特許文献２】特開２００７−２６７７２３号公報
【特許文献３】実用新案登録第３１７２２１０号公報
【特許文献４】特開２００５−２８７３２１号公報
【発明の概要】
【発明が解決しようとする課題】
【０００８】
しかし、上記の従来技術（特許文献３、特許文献４）では、腹部側又は胸部側に暖房具を収納するものであり効果的に犬を温めるものではないため、南国原産で被毛の薄い犬種やシニア犬について、以下のような課題を有していた。
即ち、冬場の寒い時期に、被毛の薄さや高齢のため体温調節の苦手な犬は、どうしても暖かい室内にこもりがちになり、運動不足による体力の低下に伴い、ひいては健康を損なうこともある。また、高齢犬にはそれが寝たきりの原因となる場合もある。従来、そのような犬には厚手の衣服を着せたり、暖房器具を犬舎に設置することで寒さを和らげていたが、衣服では暖かさに限界があり、暖房器具は携帯性が無いため、凍える犬達は屋外での活動ができなかった。
【０００９】
そこで、本発明は、このような問題に鑑みて本願発明者が鋭意開発したものであり、犬自身の体温を利用せず、衣服にヒータを備えることにより、効果的に犬を温めることができ、南国原産で被毛の薄い犬種やシニア犬が、寒さの厳しい冬をアクティブに過ごせるペット用暖房ウェアを提供することを目的とする。
【課題を解決するための手段】
【００１０】
上記の課題を解決するために、請求項１に記載の発明は、ペットに着脱自在に着用できるウェアであって、ペットの被毛を温めるヒータを備えたことを特徴とする。
【００１１】
また、請求項２に記載の発明は、請求項１に記載の前記ウェアの背中部には前記ヒータが配設されており、ペットの背中側の被毛を温めることを特徴とする。
【００１２】
また、請求項３に記載の発明は、請求項１又は請求項２に記載の前記ウェアは、前記ヒータに電気的に接続されるバッテリと、電源ＯＮ／ＯＦＦ用のスイッチを備えていることを特徴とする。
【００１３】
また、請求項４に記載の発明は、請求項３に記載の前記ウェアには、前記バッテリを収納するバッテリ収納部が形成されており、前記バッテリの収納及び交換を容易にしたことを特徴とする。
【００１４】
また、請求項５に記載の発明は、請求項３に記載の前記ウェアには、前記電源ＯＮ／ＯＦＦ用のスイッチに温度調整部が設けられており、前記ヒータの温度調整を可能としたことを特徴とする。
【００１５】
また、請求項６に記載の発明は、請求項１乃至請求項５に記載の前記ウェアは、首周り部と背中部と胴周り部とから構成され、前記首周り部の両端部と前記胴周り部の両端部には、ペットの首周辺と胴周辺に巻き付けてそれぞれ接合する留め具が設けられていることを特徴とする。
【発明の効果】
【００１６】
以上のように、本発明によれば、ペット用ウェアにペットの被毛を温めるヒータを備えたことにより、犬の体温低下を防ぎ、冬でも活発に屋外での活動を行うことができ、犬の健康を維持することが可能になる。
【図面の簡単な説明】
【００１７】
【図１】本発明にかかるペット用暖房ウェアの一例を広げた状態を示す外面図である。
【図２】図１のペット用暖房ウェアをペットに着用する状態を示す斜視図である。
【図３】使用状態（腹部側）を示す説明図である。
【図４】使用状態（背面側）を示す説明図である。
【発明を実施するための形態】
【００１８】
以下、本発明の実施の一形態について図面を参酌しながら説明する。なお、本発明にかかるペット用暖房ウェアの各構成については、以下の実施例に限定されるものではなく、使用状況によって適宜変更することができる。
【００１９】
図１はペット用暖房ウェアの一例を広げた状態を示す外面図、図２はペット用暖房ウェアをペットに着用する状態を示す斜視図、図３及び図４はペット用暖房ウェアの使用状態（腹部側、背面側）を示す説明図である。
図１及び図２に示すように、ペット用暖房ウェア１は、円弧形状を有する首周り部２と、ペットの背中を覆う背中部３と、平面視において左右に突出する胴周り部４，５とから構成される。また、首周り部２の両端部と、胴周り部４，５の両端部には、図２及び図３に示すように、ペットの首周辺及び胴周辺に巻き付けてそれぞれ接合するための面ファスナー２１、２２、４１、５１が設けられており、ペットに着脱自在に着用することができる。
なお、ペットの首周辺と胴周辺に巻き付けてそれぞれ接合する留め具については、面ファスナー以外のホックやボタン等を用いてもよいが、面ファスナーが好適に用いられる。
【００２０】
ペット用暖房ウェア１の材質については、洗濯可能な布（綿布、ウール布、これらを用いたキルティング布等）、小さな犬や高齢の犬にも負担の無い軽くて薄いフリース素材等を使用するのが好ましい。また、面ファスナー２１、２２、４１、５１については、犬の毛が絡まることのないタイプを使用するのが好ましい。
【００２１】
また、図１及び図２に示すように、ペット用暖房ウェア１の背中部３の内部にはヒータ１０が内蔵されており、このヒータ１０によってペットの背中側の被毛を温めることができる。ここで、ヒータ１０を内蔵する領域については、図示（符号１０）する箇所及び範囲内に限定されるものではないが、毛の薄い腹側にはあえて入れず、被毛のある背中側に入れることで、犬の皮膚ではなく被毛を温め低温やけどを防ぎ、より自然に犬を温めることができる。また、図３に示すように、肩と腹囲は面ファスナー２１、２２、４１、５１である程度のサイズ調節ができるため、図４に示すように着用した際に犬にフィットし効率的に温めることができる。
なお、ヒータの種類については、可撓性を有する面ヒータ、線ヒータなどの電気発熱体を使用する。
【００２２】
また、図１及び図２に示すように、ペット用暖房ウェア１は、ヒータ１０に配線１４を介して電気的に接続されるバッテリ１１と、バッテリ１１に配線１３を介して電気的に接続される電源ＯＮ／ＯＦＦ用のスイッチ１２を備えている。また、ペット用暖房ウェア１の背中部３の上方には、バッテリ１１を収納するバッテリ収納部３１が形成されている。バッテリ収納部３１にはスライドファスナー３２が設けられており、バッテリ１１の収納及び交換を容易にすることができる。
なお、バッテリ１１は、超小型犬に対応できるように小型バッテリを使用するのが好ましい。
【００２３】
また、図１及び図２に示すように、ペット用暖房ウェア１の首周り部２の電源ＯＮ／ＯＦＦ用のスイッチ１２には、このスイッチ１２を押圧操作するごとにヒータ１０の加温時の温度を切り換えられる温度調整部が設けられている。これは、着用中の温度が簡単に目視できるように、例えば、電源ＯＮ／ＯＦＦ用のスイッチ１２の表面部分に加温時の温度を３段階の色（赤、白、青）で表示する。
【符号の説明】
【００２４】
１  ペット用暖房ウェア
２  首周り部
２１，２２  面ファスナー
３  背中部
３１  バッテリ収納部
３２  スライドファスナー
４，５  胴周り部
４１，５１  面ファスナー
１０  ヒータ
１１  バッテリ
１２  スイッチ
１３，１４  配線
【図１】
2019180296.tif 000003
【図２】
2019180296.tif 000004
【図３】
2019180296.tif 000005
【図４】
2019180296.tif 000006